(57)【要約】【課題】  貝に通す所定の先端形状を得ることができ、かつ、簡単に分離することができる、貝養殖用の係止ピンの製造方法を提供する。【解決手段】  合成樹脂製の係止ピン並設成形材２は、並設された係止ピン１、１が，貝に通す先端においてランナー２ａから延びるゲート部２ｂと繋がって形成される。ここで、係止ピン１の先端１ａと、ゲート部２ｂの先端２ｃとは、互いの側に向かって細くなるように絞られて形成されて、それら絞りの最先端となる連結端２ｘで、係止ピン１側とランナー２ａ側とが繋がっている。そこで、この係止ピン並設成形材２に対し、係止ピン１側とランナー２ａ側とを相対的に折り曲げることにより、その連結端２ｘを破断して、係止ピン１をランナー２ａ側から分離する。【選択図】  図６
2015000058.tif 000002
【特許請求の範囲】
【請求項１】
養殖の貝を吊り下げるための係止ピンが並設されて、それら係止ピンが前記貝に通す先端においてランナーから延びるゲート部と繋がって形成された、合成樹脂製の係止ピン並設成形材に対し、前記係止ピンを前記ランナー側から分離して製造する製造方法であって、
前記係止ピン並設成形材における、前記係止ピンの先端と、前記ゲート部の先端とは、互いの側に向かって細くなるように絞られて形成されて、それら絞りの最先端となる連結端で、前記係止ピン側と前記ランナー側とが繋がっており、
この係止ピン並設成形材に対し、前記係止ピン側と前記ランナー側とを相対的に折り曲げることにより、その連結端を破断して、前記係止ピンを前記ランナー側から分離することを特徴とする、貝養殖用の係止ピンの製造方法。
【請求項２】
前記係止ピン並設成形材に対し、前記係止ピンを保持し、前記ランナーまたは／および前記ゲート部を前記係止ピンの長手方向と交差する方向に押圧することで前記ランナー側を折り曲げることにより、前記連結端を破断することを特徴とする、請求項１に記載の貝養殖用の係止ピンの製造方法。
【請求項３】
前記係止ピン並設成形材に対し、少なくとも前記連結端近辺を除いて、前記係止ピンと、前記ランナーまたは／および前記ゲート部とを下側から支持し、前記連結端近辺を上側から押圧することで前記係止ピン側と前記ランナー側とを相対的に折り曲げることにより、前記連結端を破断することを特徴とする、請求項１に記載の貝養殖用の係止ピンの製造方法。
【請求項４】
養殖の貝を吊り下げるための係止ピンが並設されて、それら係止ピンが前記貝に通す先端においてランナーから延びるゲート部と繋がって形成された、合成樹脂製の係止ピン並設成形材に対し、前記係止ピンを前記ランナー側から分離する分離装置であって、
前記係止ピン並設成形材における、前記係止ピンの先端と、前記ゲート部の先端とは、互いの側に向かって細くなるように絞られて形成されて、それら絞りの最先端となる連結端で、前記係止ピン側と前記ランナー側とが繋がっており、
この係止ピン並設成形材に対し、前記係止ピン側と前記ランナー側とを相対的に折り曲げることにより、その連結端を破断して、前記係止ピンを前記ランナー側から分離すべく、前記係止ピンを保持する保持体と、前記ランナーまたは／および前記ゲート部を前記係止ピンの長手方向と交差する方向に押圧するランナー側押圧体とを備えて、
前記ランナー側押圧体による押圧によって、前記ランナー側を折り曲げることにより、前記連結端を破断して、前記係止ピンを前記ランナー側から分離することを特徴とする、貝養殖用の係止ピンの分離装置。
【請求項５】
養殖の貝を吊り下げるための係止ピンが並設されて、それら係止ピンが前記貝に通す先端においてランナーから延びるゲート部と繋がって形成された、合成樹脂製の係止ピン並設成形材に対し、前記係止ピンを前記ランナー側から分離する分離装置であって、
前記係止ピン並設成形材における、前記係止ピンの先端と、前記ゲート部の先端とは、互いの側に向かって細くなるように絞られて形成されて、それら絞りの最先端となる連結端で、前記係止ピン側と前記ランナー側とが繋がっており、
この係止ピン並設成形材に対し、前記係止ピン側と前記ランナー側とを相対的に折り曲げることにより、その連結端を破断して、前記係止ピンを前記ランナー側から分離すべく、少なくとも前記連結端近辺を除いて、前記係止ピンと、前記ランナーまたは／および前記ゲート部とを下側から支持する支持体と、前記連結端近辺を上側から押圧する境界部押圧体とを備えて、
前記境界部押圧体による押圧によって、前記係止ピン側と前記ランナー側とを相対的に折り曲げることにより、前記連結端を破断して、前記係止ピンを前記ランナー側から分離することを特徴とする、貝養殖用の係止ピンの分離装置。
【請求項６】
前記境界部押圧体は、回転する円板からなり、その円板の先端で前記連結端近辺を押圧することを特徴とする、請求項５に記載の貝養殖用の係止ピンの分離装置。
【発明の詳細な説明】
【技術分野】
【０００１】
この発明は、貝に通す所定の先端形状を得るための、貝養殖用の係止ピンの製造方法、および分離装置に関するものである。
【背景技術】
【０００２】
従来、ホタテ等の養殖貝を海中に保持するために、係止ピンが用いられていた。この係止ピンは、ロープと貝に差し通されるものであって、このロープが海中に垂らされることで、貝は、海中に吊り下げられた。この係止ピンは、一般には、係止ピンが多数並設された合成樹脂製の係止ピン並設成形材から分離されたものであった。そして、その分離は、係止ピンの先端とランナーとを繋ぐゲート部を、カッターにより切断することで行われていた。
【０００３】
しかし、カッターによる切断は、その切断位置がばらつくことから、係止ピンの先端形状を所定の形状に切断できず、貝への差し通しが困難となる製品が発生する欠点があった。そこで、カッターによる切断に代えて、溶融により切断する方法が提案された（例えば、特許文献１参照）。この切断は、レーザー光を用いるものであって、このレーザー光により係止ピンの先端が一旦溶融しその後固化することで、その先端を滑らかな面とするものであった。
【先行技術文献】
【特許文献】
【０００４】
【特許文献１】実用新案登録第３１７８８３０号公報
【発明の概要】
【発明が解決しようとする課題】
【０００５】
ところで、前記従来のカッターによる切断にあっては、既述の通り、その切断位置がばらつき、係止ピンの所定の先端形状が得られないことから、貝への差し通しが困難となる製品が発生する虞があった。また、レーザー光による切断にあっては、レーザー光が当たる側は丸くできても、その反対側を丸くすることは必ずしも容易でない等、均一な形状を得ることが困難で、大量生産に不向きであった。
【０００６】
この発明は、上記した従来の欠点を解決するためになされたものであり、その目的とするところは、貝に通す所定の先端形状を得ることができ、かつ、簡単に分離することができる、貝養殖用の係止ピンの製造方法、および分離装置を提供することにある。
【課題を解決するための手段】
【０００７】
この発明に係る貝養殖用の係止ピンの製造方法、および分離装置は、前記目的を達成するために、次の構成からなる。すなわち、
請求項１に記載の発明に係る貝養殖用の係止ピンの製造方法は、養殖の貝を吊り下げるための係止ピンが並設されて、それら係止ピンが前記貝に通す先端においてランナーから延びるゲート部と繋がって形成された、合成樹脂製の係止ピン並設成形材に対し、前記係止ピンを前記ランナー側から分離して製造する製造方法である。ここで、前記係止ピン並設成形材における、前記係止ピンの先端と、前記ゲート部の先端とは、互いの側に向かって細くなるように絞られて形成されて、それら絞りの最先端となる連結端で、前記係止ピン側と前記ランナー側とが繋がっている。そこで、この係止ピン並設成形材に対し、前記係止ピン側と前記ランナー側とを相対的に折り曲げることにより、その連結端を破断して、前記係止ピンを前記ランナー側から分離する。
【０００８】
この製造方法によると、係止ピン並設成形材において、係止ピン側とランナー側とを、相対的に折り曲げることにより、係止ピン側とランナー側とは、連結端を中心として相対的に折れ曲がり、その連結端で的確に破断される。
【０００９】
また、請求項２に記載の発明に係る貝養殖用の係止ピンの製造方法は、請求項１に記載の製造方法において、前記係止ピン並設成形材に対し、前記係止ピンを保持し、前記ランナーまたは／および前記ゲート部を前記係止ピンの長手方向と交差する方向に押圧することで前記ランナー側を折り曲げることにより、前記連結端を破断する。
【００１０】
また、請求項３に記載の発明に係る貝養殖用の係止ピンの製造方法は、請求項１に記載の製造方法において、前記係止ピン並設成形材に対し、少なくとも前記連結端近辺を除いて、前記係止ピンと、前記ランナーまたは／および前記ゲート部とを下側から支持し、前記連結端近辺を上側から押圧することで前記係止ピン側と前記ランナー側とを相対的に折り曲げることにより、前記連結端を破断する。
【００１１】
また、請求項４に記載の発明に係る貝養殖用の係止ピンの分離装置は、養殖の貝を吊り下げるための係止ピンが並設されて、それら係止ピンが前記貝に通す先端においてランナーから延びるゲート部と繋がって形成された、合成樹脂製の係止ピン並設成形材に対し、前記係止ピンを前記ランナー側から分離する分離装置である。ここで、前記係止ピン並設成形材における、前記係止ピンの先端と、前記ゲート部の先端とは、互いの側に向かって細くなるように絞られて形成されて、それら絞りの最先端となる連結端で、前記係止ピン側と前記ランナー側とが繋がっている。そこで、この係止ピン並設成形材に対し、前記係止ピン側と前記ランナー側とを相対的に折り曲げることにより、その連結端を破断して、前記係止ピンを前記ランナー側から分離すべく、前記係止ピンを保持する保持体と、前記ランナーまたは／および前記ゲート部を前記係止ピンの長手方向と交差する方向に押圧するランナー側押圧体とを備えて、前記ランナー側押圧体による押圧によって、前記ランナー側を折り曲げることにより、前記連結端を破断して、前記係止ピンを前記ランナー側から分離する。
【００１２】
この分離装置によると、保持体で、係止ピン並設成形材における係止ピンを保持し、ランナー側押圧体で、ランナーまたは／およびゲート部を係止ピンの長手方向と交差する方向に押圧することで、ランナー側は、連結端を中心として折れ曲がり、その連結端で的確に破断される。
【００１３】
また、請求項５に記載の発明に係る貝養殖用の係止ピンの分離装置は、養殖の貝を吊り下げるための係止ピンが並設されて、それら係止ピンが前記貝に通す先端においてランナーから延びるゲート部と繋がって形成された、合成樹脂製の係止ピン並設成形材に対し、前記係止ピンを前記ランナー側から分離する分離装置である。ここで、前記係止ピン並設成形材における、前記係止ピンの先端と、前記ゲート部の先端とは、互いの側に向かって細くなるように絞られて形成されて、それら絞りの最先端となる連結端で、前記係止ピン側と前記ランナー側とが繋がっている。そこで、この係止ピン並設成形材に対し、前記係止ピン側と前記ランナー側とを相対的に折り曲げることにより、その連結端を破断して、前記係止ピンを前記ランナー側から分離すべく、少なくとも前記連結端近辺を除いて、前記係止ピンと、前記ランナーまたは／および前記ゲート部とを下側から支持する支持体と、前記連結端近辺を上側から押圧する境界部押圧体とを備えて、前記境界部押圧体による押圧によって、前記係止ピン側と前記ランナー側とを相対的に折り曲げることにより、前記連結端を破断して、前記係止ピンを前記ランナー側から分離する。
【００１４】
この分離装置によると、支持体で、少なくとも連結端近辺を除いて、係止ピンと、ランナーまたは／およびゲート部とを下側から支持し、境界部押圧体で、連結端近辺を上側から押圧することで、係止ピン側とランナー側とは、連結端を中心として相対的に折れ曲がり、その連結端で的確に破断される。
【００１５】
また、請求項６に記載の発明に係る貝養殖用の係止ピンの分離装置は、請求項５に記載の分離装置において、前記境界部押圧体は、回転する円板からなり、その円板の先端で前記連結端近辺を押圧する。
【発明の効果】
【００１６】
この発明に係る貝養殖用の係止ピンの製造方法、および分離装置によれば、係止ピン並設成形材に対し、係止ピン側とランナー側とを相対的に折り曲げて、連結端を破断することで、貝に通す所定の先端形状を得ることができ、かつ、係止ピンをランナー側から簡単に分離することができる。
【図面の簡単な説明】
【００１７】
【図１】この発明の第一の実施の形態の、係止ピンの平面図である。
【図２】同じく、係止ピン並設成形材の平面図である。
【図３】同じく、係止ピン並設成形材の正面図である。
【図４】同じく、図３における要部拡大図である。
【図５】同じく、分離装置に係止ピン並設成形材をセットした状体を示す正面図である。
【図６】同じく、係止ピンを保持体で保持した状態を示す正面図である。
【図７】同じく、ランナー側押圧体によりランナー側を除去した状態を示す正面図である。
【図８】この発明の第二の実施の形態の、係止ピンの平面図である。
【図９】同じく、係止ピン並設成形材の平面図である。
【図１０】同じく、係止ピン並設成形材の正面図である。
【図１１】同じく、図１０における要部拡大図である。
【図１２】同じく、分離装置を用いて係止ピンを分離する状態を示す、正面図である。
【図１３】同じく、図１２における要部拡大図である。
【図１４】同じく、側面図である。
【発明を実施するための形態】
【００１８】
以下、この発明に係る貝養殖用の係止ピンの製造方法、および分離装置を実施するための形態を図面に基づいて説明する。
【００１９】
図１〜図７は、本発明の第一の実施の形態を示す。図中符号１は、養殖の貝を吊り下げるための、合成樹脂製の係止ピンを示す。２は、合成樹脂製の係止ピン並設成形材を示し、この係止ピン並設成形材２は、前記係止ピン１が並設されて、それら係止ピン１、１が貝に通す先端１ａにおいてランナー２ａから延びるゲート部２ｂと繋がって形成されている。３は、前記係止ピン並設成形材２に対し、前記係止ピン１をランナー２ａ側から分離する、貝養殖用の係止ピン１の分離装置を示す。
【００２０】
ここで、係止ピン並設成形材２における、係止ピン１（図１参照）の先端１ａと、ゲート部２ｂの先端２ｃとは、互いの側に向かって細くなるように絞られて形成されて、それら絞りの最先端となる連結端２ｘで、係止ピン１側とランナー２ａ側とが繋がっている（図２〜図４参照）。
【００２１】
そこで、係止ピン並設成形材２に対し、係止ピン１をランナー２ａ側から分離して製造する、貝養殖用の係止ピン１の製造方法は、係止ピン並設成形材２に対し、係止ピン１側とランナー２ａ側とを相対的に折り曲げることにより、その連結端２ｘを破断して、係止ピン１をランナー２ａ側から分離する。
【００２２】
具体的には、係止ピン１は、図１に示すように、細長に形成されたピン本体１ｂと、そのピン本体１ｂの中央部分から突出した一対のロープ係止片１ｃ、１ｃと、ピン本体１ｂの各端側から突出した貝係止片１ｄ、１ｄとを備えている。ここで、一対のロープ係止片１ｃ、１ｃは、互いの側、つまり中央側を向くように傾斜して突出し、弾性的に倒れることが可能となっている。そして、貝係止片１ｄもまた、中央側を向くように傾斜して突出し、その先端部分は、ピン本体１ｂから離れる側に湾曲して形成され、弾性的に倒れることが可能となっている。そして、このピン本体１ｂの先端（図示実施の形態においては、両先端）が、係止ピン１を貝（詳しくは、貝およびロープ）に通す先端１ａとなり、この先端１ａが、円弧状に絞られて形成され、その最先端が、前述のランナー２ａ側への連結端２ｘとなる。
【００２３】
そこで、この係止ピン１は、その先端１ａから、ロープ（図示せず）にあけられた孔に挿入され、そのロープがロープ係止片１ｃ、１ｃ間に来るまで差し通される。こうして、係止ピン１は、ロープを係止するロープ係止片１ｃ、１ｃによって、このロープに抜け止めされた状態で取り付けられる。そして、貝にあけられた孔に対し、係止ピン１がその先端１ａから挿入され、その貝が貝係止片１ｄを越えるまで差し通される。こうして、貝は、その貝を係止する貝係止片１ｄによって、係止ピン１に抜け止めされた状態で取り付けられる。
【００２４】
係止ピン並設成形材２は、例えば、ポリアミド樹脂、特にナイロン６６からなる。この係止ピン並設成形材２は、図２〜図４に示すように、ランナー２ａと、そのランナー２ａに沿って並設された複数の係止ピン１、１と、ランナー２ａと係止ピン１の先端１ａを繋ぐゲート部２ｂとを、備えている。図示実施の形態においては、ランナー２ａは、係止ピン１の各側に設けられ、係止ピン１の両先端１ａ、１ａが、ゲート部２ｂ、２ｂを介してランナー２ａ、２ａに繋がっている。ここで、ゲート部２ｂは、ランナー２ａ側が径大であって、係止ピン１側が径小となる段付き形状に形成されている。そして、このゲート部２ｂの先端２ｃが、円弧状に絞られて形成され、その最先端が、係止ピン１側への連結端２ｘとなる。すなわち、係止ピン１の先端１ａと、ゲート部２ｂの先端２ｃとは、互いの側に向かって細くなるように絞られて形成されて、それら絞り形状の最先端の断面最小となる連結端２ｘで、係止ピン１側とランナー２ａ側とが繋がる。
【００２５】
係止ピン１の製造方法においては、係止ピン並設成形材２に対し、係止ピン１を保持し、ランナー２ａまたは／およびゲート部２ｂ（図示実施の形態においては、ランナー２ａ）を係止ピン１の長手方向と交差する方向に押圧することでランナー２ａ側を折り曲げることにより、連結端２ｘを破断する。そして、この連結端２ｘの破断により、ランナー２ａ側が取り除かれ、それぞれの係止ピン１、１は、ばらばらになる。
【００２６】
分離装置３は、図５〜図７に示すように、係止ピン並設成形材２に対し、係止ピン１側とランナー２ａ側とを相対的に折り曲げることにより、その連結端２ｘを破断して、係止ピン１をランナー２ａ側から分離すべく、係止ピン１を保持する保持体４と、ランナー２ａまたは／およびゲート部２ｂ（図示実施の形態においては、ランナー２ａ）を係止ピン１の長手方向と交差する方向に押圧するランナー側押圧体５とを備える。そして、ランナー側押圧体５による押圧によって、ランナー２ａ側を折り曲げることにより、連結端２ｘを破断して、係止ピン１をランナー２ａ側から分離する。
【００２７】
詳細には、分離装置３は、係止ピン並設成形材２における係止ピン１を下から支持する支持台６と、エアシリンダ等の駆動機構により上下動する可動体７とを備える。ここで、支持台６は、係止ピン１の中央部分を支持する第１支持部６ａと、係止ピン１の両側部分を支持する第２支持部６ｂとを備える。第２支持部６ｂは、その上面に、内側から外側に向かって高くなる傾斜面６ｃを有する。そして、図示実施の形態においては、第２支持部６ｂの上面の、外側端部は、前記傾斜面６ｃに連続して水平に折れ曲がって形成された、載せ面６ｄとなっている（図５参照）。
【００２８】
可動体７は、可動体本体７ａと、その可動体本体７ａの左右の両側に固定された前記ランナー側押圧体５と、可動体本体７ａに対し上下に移動可能に設けられて係止ピン１を上から押さえる、押え部７ｂとを備える。つまり、この可動体７における押え部７ｂと、支持台６とで、前記保持体４が構成される。
【００２９】
押え部７ｂは、係止ピン１の中央部分を押える第１押え部７ｃと、係止ピン１の両側部分を抑える第２押え部７ｄとを備える。こうして、第１支持部６ａと第１押え部７ｃとで、係止ピン１の中央部分を挟み込み、第２支持部６ｂと第２押え部７ｄとで、係止ピン１の両側部分を挟み込み、係止ピン１は、支持台６の上面形状に倣って、下方に凸となるように屈曲する（図６参照）。ここで、第２押え部７ｄは、第２支持部６ｂの傾斜面６ｃに対応するように、下面に、内側から外側に向かって高くなる傾斜面７ｅを有する。なお、第１および第２押え部７ｃ、７ｄは、可動体本体７ａに対し、弾性部材７ｆ（図示実施の形態においては、スプリング）により、下方に弾性付勢されている。
【００３０】
この分離装置３においては、支持台６に載置された係止ピン並設成形材２に対し、可動体７が降下すると、初めに、押え部７ｂが係止ピン１を押え込み、続いて、ランナー側押圧体５が、ランナー２ａ側（図示実施の形態においては、ランナー２ａ）を押圧する（図６参照）。そして、この押圧により、ランナー２ａ側が折れ曲がり、連結端２ｘが破断する（図７参照）。なお、図中符号８は、係止ピン並設成形材２を送る送り装置を示し、先端に、係止ピン１、１と噛み合う歯８ａ、８ａを有している。
【００３１】
次に、第一の実施の形態における、係止ピン１の製造方法、および分離装置３の作用効果について説明する。この製造方法によると、係止ピン並設成形材２において、係止ピン１側とランナー２ａ側とを、相対的に折り曲げることにより、係止ピン１側とランナー２ａ側とは、連結端２ｘを中心として相対的に折れ曲がり、その連結端２ｘで的確に破断される（図６、図７参照）。そして、分離装置３によると、保持体４で、係止ピン並設成形材２における係止ピン１を保持し、ランナー側押圧体５で、ランナー２ａまたは／およびゲート部２ｂ（図示実施の形態においては、ランナー２ａ）を係止ピン１の長手方向と交差する方向に押圧することで、ランナー２ａ側は、連結端２ｘを中心として折れ曲がることになる。
【００３２】
すなわち、係止ピン並設成形材２に対し、係止ピン１側とランナー２ａ側とを相対的に折り曲げて（詳しくは、ランナー２ａ側を折り曲げて）、連結端２ｘを破断することで、貝に通す所定の先端形状を得ることができ、かつ、係止ピン１をランナー２ａ側から簡単に分離することができる。
【００３３】
また、係止ピン並設成形材２の材料である、ポリアミド樹脂（特に、ナイロン６６）は、成形直後には、水分の含有率が低く剛性が高いため、係止ピン１側とランナー２ａ側とを相対的に折り曲げることで、連結端２ｘで容易に破断する（後述する第二の実施の形態においても、同様である）。
【００３４】
図８〜図１４は、本発明の第二の実施の形態を示す。この実施の形態は、第一の実施の形態とは、係止ピン１側とランナー２ａ側とを相対的に折り曲げる、その方法とか手段が異なるが、他は同様であり、以下に異なる部分を主に説明する。
【００３５】
係止ピン１の製造方法においては、係止ピン並設成形材２の折り曲げに当たって、その係止ピン並設成形材２に対し、少なくとも連結端２ｘ近辺を除いて、係止ピン１と、ランナー２ａまたは／およびゲート部２ｂ（図示実施の形態においては、ランナー２ａ）とを下側から支持し、連結端２ｘ近辺を上側から押圧することで、係止ピン１側とランナー２ａ側とを相対的に折り曲げることにより、連結端２ｘを破断して、係止ピン１をランナー２ａ側から分離する。
【００３６】
また、分離装置３にあっては、図１２〜図１４に示すように、係止ピン並設成形材２に対し、係止ピン１側とランナー２ａ側とを相対的に折り曲げることにより、その連結端２ｘを破断して、係止ピン１をランナー２ａ側から分離すべく、少なくとも連結端２ｘ近辺を除いて、係止ピン１と、ランナー２ａまたは／およびゲート部２ｂ（図示実施の形態においては、ランナー２ａ）とを下側から支持する支持体１１と、連結端２ｘ近辺を上側から押圧する境界部押圧体１２とを備える。そして、境界部押圧体１２による押圧によって、係止ピン１側とランナー２ａ側とを相対的に折り曲げることにより、連結端２ｘを破断して、係止ピン１をランナー２ａ側から分離する。
【００３７】
詳細には、分離装置３は、境界部押圧体１２が、回転する円板１２ａからなり、その円板１２ａの先端１２ｂで、係止ピン並設成形材２における連結端２ｘ近辺を押圧する。
【００３８】
より詳細には、分離装置３は、前記支持体１１が、回転する回転支持体１１ａからなり、その回転支持体１１ａに、係止ピン１を下側から支持する係止ピン支持部１１ｂと、ランナー２ａまたは／およびゲート部２ｂ（図示実施の形態においてはランナー２ａ）を下側から支持するランナー側支持部１１ｃとが、周方向に沿って帯状に突出形成されている。そして、特に、係止ピン支持部１１ｂにあっては、係止ピン１の中央部分を下側から支持する第１係止ピン支持部１１ｄと、係止ピン１の両側部分を下側から支持する第２係止ピン支持部１１ｅとで構成される。
【００３９】
そして、この回転支持体１１ａの係止ピン支持部１１ｂ（第１および第２係止ピン支持部１１ｄ、１１ｅ）には、その先端に歯１１ｆ、１１ｆが設けられており、その歯１１ｆが係止ピン１、１と噛み合うことで、係止ピン並設成形材２を送ることができる。こうして、この回転支持体１１ａが送り装置を兼ねているが、別途、送り装置を、設けても構わない。
【００４０】
また、前記円板１２ａは、ドラム１３の左右の両側に設けられる。この円板１２ａの先端部分は、先細となるテーパー形状に形成されている。そして、そのテーパー形状の先端である円板１２ａの先端１２ｂで、係止ピン並設成形材２の連結端２ｘ近辺である、係止ピン１の先端１ａとゲート部２ｂの先端２ｃとを押圧する（図１３参照）。図示実施の形態においては、円板１２ａの先端１２ｂには、アールが付けられており、そのアールで、係止ピン１の先端１ａとゲート部２ｂの先端２ｃとを押圧することになる。
【００４１】
また、この実施の形態においては、図９に示すように、係止ピン並設成形材２は、係止ピン１が連続して並ぶ長尺物となっている。そして、隣り合う係止ピン１、１どうしは、接続部２ｙ（詳しくは、一方の係止ピン１のロープ係止片１ｃの先端と、他方の係止ピン１のピン本体１ｂとを接続する接続部）を介して繋がっている。したがって、連結端２ｘを破断して、ランナー２ａ側を取り除いても、係止ピン１、１どうしがばらばらになることはない。
【００４２】
次に、第二の実施の形態における、係止ピン１の製造方法、および分離装置３の作用効果について説明する。この製造方法によると、係止ピン並設成形材２において、係止ピン１側とランナー２ａ側とを、相対的に折り曲げることにより、係止ピン１側とランナー２ａ側とは、連結端２ｘを中心として相対的に折れ曲がり、その連結端２ｘで的確に破断される（図１３参照）。そして、分離装置３によると、支持体１１（図示実施の形態においては、回転支持体１１ａ）で、少なくとも連結端２ｘ近辺を除いて、係止ピン１と、ランナー２ａまたは／およびゲート部２ｂ（図示実施の形態においては、ランナー２ａ）とを下側から支持し、境界部押圧体１２（図示実施の形態においては、円板１２ａ）で、連結端２ｘ近辺を上側から押圧することで、係止ピン１側とランナー２ａ側とは、連結端２ｘを中心として相対的に折れ曲がることになる。
【００４３】
すなわち、係止ピン並設成形材２に対し、係止ピン１側とランナー２ａ側とを相対的に折り曲げて、連結端２ｘを破断することで、貝に通す所定の先端形状を得ることができ、かつ、係止ピン１をランナー２ａ側から簡単に分離することができる。
【００４４】
なお、本発明は、上述した実施の形態に限定されるわけではなく、その他種々の変更が可能である。例えば、係止ピン並設成形材２の材料は、ナイロン６６等のポリアミド樹脂でなくとも、係止ピン１側とランナー２ａ側とを相対的に折り曲げることで、連結端２ｘが破断するものであれば、どのような合成樹脂材でもよい。
【００４５】
また、係止ピン並設成形材２における、係止ピン１の先端１ａとか、ゲート部２ｂの先端２ｃは、円弧状に絞られて形成されなくとも、テーパ状に絞られて形成されてもよい。
【００４６】
また、係止ピン並設成形材２は、係止ピン１を挟む両方に、ランナー２ａが設けられているが、一方のみに設けられるものであってもよい。
【００４７】
また、係止ピン１は、その両端が、貝に通す先端１ａとなっているが、一方端のみが、貝に通す先端となっていてもよい。
【符号の説明】
【００４８】
１  係止ピン
１ａ  先端
２  係止ピン並設成形材
２ａ  ランナー
２ｂ  ゲート部
２ｃ  先端
２ｘ  連結端
３  分離装置
４  保持体
５  ランナー側押圧体
１１  支持体
１２  境界部押圧体
１２ａ  円板
【図１】
2015000058.tif 000003
【図２】
2015000058.tif 000004
【図３】
2015000058.tif 000005
【図４】
2015000058.tif 000006
【図５】
2015000058.tif 000007
【図６】
2015000058.tif 000008
【図７】
2015000058.tif 000009
【図８】
2015000058.tif 000010
【図９】
2015000058.tif 000011
【図１０】
2015000058.tif 000012
【図１１】
2015000058.tif 000013
【図１２】
2015000058.tif 000014
【図１３】
2015000058.tif 000015
【図１４】
2015000058.tif 000016